【手続補正書】
【提出日】平成28年5月30日(2016.5.30)
【手続補正１】
【補正対象書類名】特許請求の範囲
【補正対象項目名】全文
【補正方法】変更
【補正の内容】
【特許請求の範囲】
【請求項１】
ユーザ機器(UE)において動作可能なワイヤレス通信の方法であって、
前記UEの速さまたは前記UEの1つまたは複数のアンテナがブロックされたという検出のうちの少なくとも1つに基づいてダウンリンク送信の第1の多入力多出力(MIMO)構成を改変することを判断するステップと、
ダウンリンクMIMO構成を改変することを要求する能力を示すように構成された能力指示メッセージを、前記UEから送信するステップであって、前記能力指示メッセージが、無線リソース制御(RRC)プロトコルメッセージまたは拡張アップリンク専用物理制御チャネル(E-DPCCH)順序のうちの1つの上で搬送される情報要素(IE)を含む、ステップと、
前記ダウンリンク送信の前記第1のMIMO構成を改変する要求を送信するステップであって、前記要求が、前記第1のMIMO構成を改変するという前記判断に基づいて送信される、ステップと、
前記要求に対応する第2のMIMO構成に基づいて前記ダウンリンク送信を受信するステップと
を含む、方法。
【請求項２】
前記要求が、コードワードのセットに対応するコードワードを利用して高速専用物理制御チャネル(HS-DPCCH)上で送信され、コードワードの前記セットが、チャネル品質情報および/またはプリコーディング情報(CQI/PCI)報告情報を含む、請求項1に記載の方法。
【請求項３】
前記要求が、拡張アップリンク専用物理制御チャネル(E-DPCCH)上で送信される、請求項1に記載の方法。
【請求項４】
前記UEの速さまたは速度に関する情報に従って、前記第1のMIMO構成をオフにする要求をすることを判断するステップ
をさらに含み、
前記第1のMIMO構成を改変することを求める前記要求が、前記第1のMIMO構成を前記オフにすることを要求するように構成された、請求項1に記載の方法。
【請求項５】
前記UEの1つまたは複数のアンテナがブロックされたという検出に従って、前記第1のMIMO構成を改変することを判断するステップ
をさらに含む、請求項1に記載の方法。
【請求項６】
前記第1のMIMO構成を改変することを求める前記要求が、前記ダウンリンク送信を送信するための基地局における複数のアンテナの中から選択されたサブセットを示すように構成された、請求項5に記載の方法。
【請求項７】
ワイヤレス通信のために構成されたユーザ機器(UE)であって、
少なくとも1つのプロセッサと、
前記少なくとも1つのプロセッサに通信可能に結合されたメモリと、
前記少なくとも1つのプロセッサに通信可能に結合されたトランシーバと
を備え、
前記少なくとも1つのプロセッサが、
前記UEの速さまたは前記UEの1つまたは複数のアンテナがブロックされたという検出のうちの少なくとも1つに基づいてダウンリンク送信の第1の多入力多出力(MIMO)構成を改変することを判断することと、
ダウンリンクMIMO構成を改変することを要求する能力を示すように構成された能力指示メッセージを送信することであって、前記能力指示メッセージが、無線リソース制御(RRC)プロトコルメッセージまたは拡張アップリンク専用物理制御チャネル(E-DPCCH)順序のうちの1つの上で搬送される情報要素(IE)を含む、送信することと、
前記ダウンリンク送信の前記第1のMIMO構成を改変する要求を送信することであって、前記要求が、前記第1のMIMO構成を改変するという前記判断に基づいて送信される、送信することと、
前記要求に対応する第2のMIMO構成に基づいて前記ダウンリンク送信を受信することと
を行うように構成された、ユーザ機器(UE)。
【請求項８】
前記要求が、コードワードのセットに対応するコードワードを利用して高速専用物理制御チャネル(HS-DPCCH)上で送信され、コードワードの前記セットが、チャネル品質情報および/またはプリコーディング情報(CQI/PCI)報告情報を含む、請求項7に記載のUE。
【請求項９】
前記要求が、拡張アップリンク専用物理制御チャネル(E-DPCCH)上で送信される、請求項7に記載のUE。
【請求項１０】
前記少なくとも1つのプロセッサが、前記UEの速さまたは速度に関する情報に従って、前記第1のMIMO構成をオフにする要求をすることを判断するようにさらに構成され、
前記第1のMIMO構成を改変することを求める前記要求が、前記第1のMIMO構成を前記オフにすることを要求するように構成された、請求項7に記載のUE。
【請求項１１】
少なくとも1つのプロセッサが、前記UEの1つまたは複数のアンテナがブロックされたという検出に従って、前記第1のMIMO構成を改変することを判断するようにさらに構成された、請求項7に記載のUE。
【請求項１２】
前記第1のMIMO構成を改変することを求める前記要求が、前記ダウンリンク送信を送信するための基地局における複数のアンテナの中から選択されたサブセットを示すように構成された、請求項11に記載のUE。
【請求項１３】
ワイヤレス通信のために構成されたユーザ機器(UE)であって、
前記UEの速さまたは前記UEの1つまたは複数のアンテナがブロックされたという検出のうちの少なくとも1つに基づいてダウンリンク送信の第1の多入力多出力(MIMO)構成を改変することを判断するための手段と、
ダウンリンクMIMO構成を改変することを要求する能力を示すように構成された能力指示メッセージを送信するための手段であって、前記能力指示メッセージが、無線リソース制御(RRC)プロトコルメッセージまたは拡張アップリンク専用物理制御チャネル(E-DPCCH)順序のうちの1つの上で搬送される情報要素(IE)を含む、手段と、
前記ダウンリンク送信の前記第1のMIMO構成を改変する要求を送信するための手段であって、前記要求が、前記第1のMIMO構成を改変するという前記判断に基づいて送信される、手段と、
前記要求に対応する第2のMIMO構成に基づいて前記ダウンリンク送信を受信するための手段と
を備えるユーザ機器(UE)。
【請求項１４】
前記要求が、コードワードのセットに対応するコードワードを利用して高速専用物理制御チャネル(HS-DPCCH)上で送信され、コードワードの前記セットが、チャネル品質情報および/またはプリコーディング情報(CQI/PCI)報告情報を含む、請求項13に記載のUE。
【請求項１５】
前記要求が、拡張アップリンク専用物理制御チャネル(E-DPCCH)上で送信される、請求項13に記載のUE。
【請求項１６】
コンピュータに、
前記コンピュータの速さまたは前記コンピュータの1つまたは複数のアンテナがブロックされたという検出のうちの少なくとも1つに基づいてダウンリンク送信の第1の多入力多出力(MIMO)構成を改変することを判断することと、
ダウンリンクMIMO構成を改変することを要求する能力を示すように構成された能力指示メッセージを、前記コンピュータから送信することであって、前記能力指示メッセージが、無線リソース制御(RRC)プロトコルメッセージまたは拡張アップリンク専用物理制御チャネル(E-DPCCH)順序のうちの1つの上で搬送される情報要素(IE)を含む、送信することと、
前記ダウンリンク送信の前記第1のMIMO構成を改変する要求を送信することであって、前記要求が、前記第1のMIMO構成を改変するという前記判断に基づいて送信される、送信することと、
前記要求に対応する第2のMIMO構成に基づいて前記ダウンリンク送信を受信することと
を行わせるための命令を含む、非一時的コンピュータ可読記録媒体。
【請求項１７】
前記要求が、コードワードのセットに対応するコードワードを利用して高速専用物理制御チャネル(HS-DPCCH)上で送信され、コードワードの前記セットが、チャネル品質情報および/またはプリコーディング情報(CQI/PCI)報告情報を含む、請求項16に記載の非一時的コンピュータ可読記録媒体。
【請求項１８】
前記要求が、拡張アップリンク専用物理制御チャネル(E-DPCCH)上で送信される、請求項16に記載の非一時的コンピュータ可読記録媒体。